(57)【要約】【課題】  ボディービルディングのために用いられる振動式腹筋鍛錬装置を提供する。【解決手段】  収容部を有するハンドルと、前端が該収容部に設けられる連結部材と、該連結部材の後端に設けられる腹部接続部とを有し、該腹部接続部の内部に複数段の振動強度を有する振動装置が設けられ、該振動装置は、該腹部接続部に固定されるモーターと、該モーターの伝動軸に設けられる偏心プレートとを備えることを特徴とする。【選択図】  図１
0003160715.tif 000002
【実用新案登録請求の範囲】
【請求項１】
収容部を有するハンドルと、前端が該収容部に設けられる連結部材と、該連結部材の後端に設けられる腹部接続部とを有し、該腹部接続部の内部に複数段の振動強度を有する振動装置が設けられ、該振動装置は、該腹部接続部に固定されるモーターと、該モーターの伝動軸に設けられる偏心プレートとを備えることを特徴とする振動式腹部鍛錬装置。
【請求項２】
前記収容部は、一端に開口を有するＵ字形の構造であり、該連結部材の前端が該開口を通じて該収容部の内部に挿入し込むことを特徴とする請求項１に記載の振動式腹部鍛錬装置。
【請求項３】
更に、前記連結部材の内部に設けられる制御回路板を有することを特徴とする請求項１に記載の振動式腹部鍛錬装置。
【請求項４】
前記制御回路板は複数段の振動強度を提供できることを特徴とする請求項３に記載の振動式腹部鍛錬装置。
【請求項５】
更に、前記収容部の底部に設けられるセンサーを有することを特徴とする請求項１に記載の振動式腹部鍛錬装置。
【請求項６】
前記収容部に第１位置決め部材と第２位置決め部材が設けられ、該第１位置決め部材は、第１固定ロッドを有し、該第２位置決め部材は、摺動軸を有し、該連結部材の内部前端に複数組の第２固定ロッドが設けられることを特徴とする請求項１に記載の振動式腹部鍛錬装置。
【請求項７】
更に、弾性部材を有し、該弾性部材の一端が該第１固定ロッドに固定されると共に、他端が該摺動軸を回って該第２固定ロッドに固定されることを特徴とする請求項６に記載の振動式腹部鍛錬装置。
【請求項８】
前記腹部接続部は、前部カバーと後部カバーを有し、該前部カバーと後部カバーにより振動装置を収容する空間が形成されることを特徴とする請求項１に記載の振動式腹部鍛錬装置。
【請求項９】
更に、前記腹部接続部の両側に設けられる二つの延長部材を有することを特徴とする請求項１に記載の振動式腹部鍛錬装置。
【考案の詳細な説明】
【技術分野】
【０００１】
本考案は、特にボディービルディングのために用いられる振動式腹筋鍛錬装置に関するものである。
【背景技術】
【０００２】
社会経済活動の進展に伴い、様々な仕事を人間の代わりに機器で行うため、現代人の運動量が大幅に減少してしまう。更に、サラリーマンは長時間に座るまま仕事を行うため、体脂肪を腹部に集中し、腹部肥満という問題が発生する。この腹部肥満の問題を解決するために、一般のサラリーマンは体積の小さい腹筋鍛錬装置を買って、腹筋を鍛錬してダイエットを行う。
【０００３】
従来の腹筋鍛錬装置は、例えば２００５年０６月２１日に公告の台湾登録実用新案第Ｍ２６８０７５号の「二つの作用を有する腹筋鍛錬器」に、ベース、第１摺動体、連結部材、弾性部材、第２摺動体及びハンドルを備える構成が開示され、該腹筋鍛錬器は二段式の抵抗構造を有し、即ち該第１摺動体、第２摺動体及びこの両者を連結させる弾性部材であり、ハンドル操作の動きに伴う弾性部材の抵抗により、手部と腹部を運動するボディービルディング効果が得られる。
【考案の開示】
【考案が解決しようとする課題】
【０００４】
しかしながら、前記従来の腹筋鍛錬器は、弾性部材から発生する抵抗により使用者の手部又は腹部の筋肉を鍛錬するが、このような鍛錬効果ではあまり良くない上、腿部の筋肉を鍛錬することができず、且つハンドル操作の動きだけの運動動作は、つまらないという問題がある。
【０００５】
そこで、案出されたのが本考案であって、腿部を鍛錬することができるだけではなく、振動のようなマッサージ効果も得られる振動式腹筋鍛錬装置を提供することを目的としている。
【課題を解決するための手段】
【０００６】
本願の主な目的は、ハンドル、連結部材及び腹部接続部を備え、該ハンドルの中央に中空な収容部が形成され、該収容部前端の開口に該連結部材の前端が設けられ、該連結部材が摺動自由のように該収容部の内部に収容され、該連結部材の後端に腹部接続部が設けられ、該腹部接続部の内部に複数段の振動強度を有する振動装置が設けられ、該振動装置に該腹部接続部に固定するモーターと、該モーターの伝動軸に設置する偏心プレートが設けられる振動式腹筋鍛錬装置、を提供する。
【０００７】
又、前記収容部は、一端に開口を有するＵ字形の構造であり、該連結部材の前端が該開口を通じて該収容部の内部に挿入することができ、更に、該収容部に第１位置決め部材と第２位置決め部材が設けられ、該第１位置決め部材は第１固定ロッドを有し、該第２位置決め部材は摺動軸を有し、該連結部材の内部前端に複数の第２固定ロッドが設けられる。該振動式腹筋鍛錬装置は、更に弾性部材を備え、該弾性部材の一端が該第１固定ロッドと連結されると共に、他端が該摺動軸を回って該第２固定ロッドに固定される。
【０００８】
尚、該振動式腹筋鍛錬装置は、更に該連結部材の内部に設置されると共に、振動強度を制御する制御回路板を有し、該制御回路板は、複数段の振動強度を提供することができ、又、該振動式腹筋鍛錬装置は、更に該収容部の底部に設けられるセンサーを有し、該連結部材が収容部に進入すると、該センサーが制御回路板を感知することにより、該振動装置の振動強度を制御する。
【０００９】
又、前記腹部連結部は、前部カバーと後部カバーを有し、該前部カバーと後部カバーにより振動装置を収容する空間が形成される。使用者は腹部と腹部接続部との接触により運動を行う際、該腹部接続部は、振動装置に伴い振動を始め、使用者の腹部にマッサージ効果を提供する。又、該腹部鍛錬装置は、更に二つの延長部材を設置することができ、該延長部材が夫々腹部接続部の両側に設けられることにより、腿部の運動効果を提供することができる。
【考案の効果】
【００１０】
本考案は上記の課題を解決するものであり、使用者は腹部の筋肉を鍛錬できるだけではなく、座って腿部を延長部材に放置し、モーターで偏心プレートを作動しながら、円周式振動を発生することにより、運動、ダイエット及びマッサージ効果が得られる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係る振動式腹部鍛錬装置の分解斜視図であり、図２は本考案に係る振動式腹部鍛錬装置の他の分解斜視図であり、図３は本考案に係る振動式腹部鍛錬装置の使用状態を示す一部正面図であり、図４は本考案に係る振動式腹部鍛錬装置における制御回路板の制御回路を示す回路図であり、図５は本考案に係る振動式腹部鍛錬装置の他の実施例を示す一部分解斜視図であり、図６は本考案に係る振動式腹部鍛錬装置の他の実施例を示す斜視図である。
【００１３】
図１に示すように、本考案に係わる腹筋鍛錬装置は、ハンドル（１０）、連結部材（２０）及び腹部接続部（３０）を備え、該ハンドル（１０）の中央に中空な収容部（１１）が形成され、該収容部（１１）に該連結部材（２０）の前端が設けられ、該連結部材（２０）の後端に該腹部接続部（３０）が装着され、該腹部接続部（３０）の内部に複数段の振動強度を有する振動装置（４０）が設けられ、該振動装置（４０）に該腹部接続部（３０）に固定するモーター（４１）と、該モーター（４１）の伝動軸に設置する偏心プレート（４２）が設けられる。
【００１４】
図１及び図２に示すように、本考案に係わる振動式腹部鍛錬装置のハンドル（１０）は、本体（１２）と、該本体（１２）の両側に設けられるハンドルロッド（１３）を有し、該収容部（１１）が該本体（１２）の内部に形成されるＵ字形の構造であり、該連結部材（２０）の前端が該本体（１２）の開口を通じて該収容部（１１）の内部に挿入することができ、更に、該収容部（１１）に第１位置決め部材（１４）と第２位置決め部材（１５）が設けられ、該第１位置決め部材（１４）は第１固定ロッド（１４１）を有し、該第２位置決め部材（１５）は摺動軸（１５１）を有する。
【００１５】
又、前記連結部材（２０）は、ボックス（２１）とカバー（２２）を有し、該ボックス（２１）の内部前端に複数の第２固定ロッド（２１１）が設けられ、該カバー（２２）が該ボックス（２１）と結合することができ、該カバー（２２）の長さはボックス（２１）のより短いため、該カバー（２２）を該腹部接触部（３０）に接近するボックス（２１）に設置することができる。更に、該振動式腹部鍛錬装置（１）は、弾性部材（５０）を有し、該弾性部材（５０）の一端が該第１固定ロッド（１４１）に設けられると共に、他端が該摺動軸（１５１）を回って該第２固定ロッド（２１１）に固定される。使用者は本考案を使用する際、該弾性部材（５０）の弾力を抵抗するために力を出して運動効果が得られる。更に、該複数の第２固定ロッド（２１１）により、該弾性部材（５０）の弾力強度を調整することができる。
【００１６】
前記腹部接続部（３０）は、前部カバー（３１）と後部カバー（３２）を有し、該前部カバー（３１）と後部カバー（３２）により該振動装置（４０）を収容する空間が形成される。該振動装置（４０）の他に、該空間に該振動装置（４０）へ電力を提供するための電源装置（６０）が設けられ、該電源装置（６０）は、複数のバッテリー（６１）、これらのバッテリー（６１）を収容するバッテリーボックス（６２）及びバッテリーボックスカバー（６３）を有し、該電源装置（６０）に直流電流と接続ためのソケット（６４）が形成されることにより、外部電源と接続してバッテリー（６１）を充電することができる。
【００１７】
前記振動式腹部鍛錬装置（１）は、更に該連結部材（２０）の内部に設置されると共に、振動強度を制御する制御回路板（７０）を有することにより、該振動装置（４０）は複数段の振動強度を提供することができ、該振動装置（４０）の振動強度は該収容部（１１）の底部に設置するセンサー（８０）より制御され、該センサー（８０）が該制御回路板（７０）を感知することにより、振動装置（４０）の振動強度を制御することができる。本実施例において、該制御回路板（７０）は４級の振動強度を提供する可能であり、例えば、該センサー（８０）が制御回路板（７０）の第１級振動スイッチ（ａ）を感知すると、該振動装置（４０）から第１級の振動強度を発生する。
【００１８】
図２及び図３に示すうに、本考案に係わる振動式腹部鍛錬装置（１）を使用する場合、使用者はハンドル（１０）のハンドルロッド（１３）を握って、該腹部接続部（３０）の後部（３２）を腹部と接触させ、該後部（３２）に快適感を得られるための軟質パッド（３２１）が設けられ、該ハンドル（１０）を身体の方向へ引き、この際、該連結部材（２０）の前端が該ハンドル（１０）における本体（１２）の収容部（１１）の奥へ移動され、一方、該収容部に設置される第１位置決め部材（１４）と第２位置決め部材（１５）が腹部接続部（３０）の方向へ移動され、これにより、一端が該第１位置決め部材（１４）の第１固定ロッド（１４１）に固定されると共に、他端が該第２位置決め部材（１５）の摺動軸（１５１）を回って該連結部材（２０）におけるボックス（２１）の第２固定ロッド（２１１）に固定される該弾性部材（５０）が該摺動軸（１５１）、第１固定ロッド（１４１）及び第２固定ロッド（２１１）の間に伸縮運動を行う。
【００１９】
前記電源装置（６０）により、該振動装置（４０）のモーター（４１）が動作を始まり、該モーター（４１）の伝動軸（符号なし）が偏心プレート（４２）を伝動させ、偏心プレート（４２）の反作用力がモーター（４１）に作用することにより、該モーター（４１）を振動すると共に、該腹部接続部（３０）も振動し始める。
【００２０】
図２乃至図４に示すように、前記ハンドル（１０）を握ることにより運動を行う際、該連結部材（２０）と収容部（１１）も相互に移動し、該相互の移動中、該連結部材（２０）に設けられる制御回路板（７０）と該収容部（１１）に設けられるセンサー（８０）より、振動装置（４０）の振動強度を制御することができ、ハンドル（１０）を身体の方向へ引くと、該センサー（８０）が制御回路板（７０）における第１級振動スイッチ（ａ）を感知すると共に、該振動装置（４０）が第１級の振動強度を発生する。該センサー（８０）が制御回路板（７０）における第２級振動スイッチ（ｂ）を感知すると、該振動装置（４０）が第２級の振動強度を発生する。同じように、該センサー（８０）が制御回路板（７０）における第３級振動スイッチ（ｃ）を感知すると、該振動装置（４０）が第３級の振動強度を発生し、該センサー（８０）が制御回路板（７０）における第４級振動スイッチ（ｄ）を感知すると、該振動装置（４０）が第４級の振動強度を発生する。一方、該ハンドル（１０）を身体との逆方向へ移動すると、該振動装置（４０）が先ず第４級の振動強度を発生する。この振動により、振動マッサージ効果を得ることができるので、運動に伴い、運動中の筋肉に発生する乳酸を解消して筋肉痛という問題を防止することができる。
【００２１】
図５に示すように、本考案に係わる振動式腹部鍛錬装置（１）は、更に該腹部接続部（３０）の両側に設けられる二つの延長部材（９０）を有し、該延長部材（９０）の上面に軟質パッド（９０１）が設けられることにより、使用者は本考案を使用する際、筋肉と延長部材（９０）との直接接触により発生する不快感を防止することができる。図６に示すように、使用者は座って腿部の後部を延長部材（９０）に放置し、手部がハンドル（１０）を握って上下往復の運動を行い、該振動式腹部鍛錬装置で発生する抵抗により運動効果を得る。又、該振動装置（４０）の振動を腹部接続部（３０）と延長部材（９０）へ伝達することにより、腿部の脂肪を消耗する効果が得られる。
【産業上の利用可能性】
【００２２】
本考案は上記の構成を有するので、使用者は腹部の筋肉を鍛錬できるだけではなく、座って腿部を延長部材に放置し、モーターで偏心プレートを作動しながら、円周式振動を発生することにより、運動、ダイエット及びマッサージ効果が得られる。
【図面の簡単な説明】
【００２３】
【図１】本考案に係る振動式腹部鍛錬装置の分解斜視図である。
【図２】本考案に係る振動式腹部鍛錬装置の他の分解斜視図である。
【図３】本考案に係る振動式腹部鍛錬装置の使用状態を示す一部正面図である。
【図４】本考案に係る振動式腹部鍛錬装置における制御回路板の制御回路を示す回路図である。
【図５】本考案に係る振動式腹部鍛錬装置の他の実施例を示す一部分解斜視図である。
【図６】本考案に係る振動式腹部鍛錬装置の他の実施例を示す斜視図である。
【符号の説明】
【００２４】
１          腹部鍛錬装置  
１０        ハンドル
１１        収容部        
１２        本体
１３        ハンドルロッド
１４        第１位置決め部材
１４１      第１固定ロッド
１５        第２位置決め部材
１５１      摺動軸        
２０        連結部材
２１        ボックス      
２１１      第２固定ロッド
２２        カバー        
３０        腹部接続部
３１        前部カバー    
３２        後部カバー
３２１      軟質パッド    
４０        振動装置
４１        モーター      
４２        偏心プレート
５０        弾性部材      
６０        電源装置
６１        バッテリー    
６２        バッテリーボックス
６３        バッテリーボックスカバー              
６４        ソケット
７０        制御回路板    
８０        センサー
９０        延長部材      
９０１      軟質パッド
ａ          第１級振動スイッチ            
ｂ          第２級振動スイッチ
ｃ          第３級振動スイッチ            
ｄ          第４級振動スイッチ
【図１】
0003160715.tif 000003
【図２】
0003160715.tif 000004
【図３】
0003160715.tif 000005
【図４】
0003160715.tif 000006
【図５】
0003160715.tif 000007
【図６】
0003160715.tif 000008